(57)【要約】      （修正有）【課題】感度および特異度が高い大腸癌マーカー糖タンパク質、およびそれを用いた大腸癌の検出方法を提供する。【解決手段】ロイシンリッチα２グリコプロテイン１を含む大腸癌マーカーであり、かつ、該ロイシンリッチα２グリコプロテイン１がＮ結合型糖鎖を有する大腸癌マーカー。および被検動物から採取された体液中の前記マーカーの存在量を測定する工程を含む大腸癌検出方法。【選択図】なし【特許請求の範囲】
【請求項１】
ロイシンリッチα２グリコプロテイン１を含む大腸癌マーカーであり、かつ、
該ロイシンリッチα２グリコプロテイン１が、下記式（１）：
【化１】
2015184168.tif 000010
（式中、Ｘは独立してシアル酸または存在せず、Ｙは独立してフコースまたは存在しない）
で表されるＮ結合型糖鎖を有することを特徴とする、大腸癌マーカー。
【請求項２】
ロイシンリッチα２グリコプロテイン１のペプチド断片からなる大腸癌マーカーであり、かつ、該ロイシンリッチα２グリコプロテイン１が、請求項１で定義される式（１）で表されるＮ結合型糖鎖を有することを特徴とする、大腸癌マーカー。
【請求項３】
前記ロイシンリッチα２グリコプロテイン１が、その７９番目のアスパラギン残基に前記式（１）で表されるＮ結合型糖鎖を有することを特徴とする、請求項１または請求項２に記載の大腸癌マーカー。
【請求項４】
前記式（１）におけるＹの少なくとも一つがフコースである、請求項１〜３のいずれか一項に記載の大腸癌マーカー。
【請求項５】
前記式（１）におけるＸの少なくとも一つがシアル酸であることを特徴とする、請求項１〜４のいずれか一項に記載の大腸癌マーカー。
【請求項６】
前記式（１）で表されるＮ結合型糖鎖が、下記式（２）〜（４）：
【化２】
2015184168.tif 000011
【化３】
2015184168.tif 000012
【化４】
2015184168.tif 000013
のいずれかで表されるＮ結合型糖鎖であることを特徴とする、請求項１〜５のいずれか一項に記載の大腸癌マーカー。
【請求項７】
前記大腸癌マーカーの存在量を測定し得る試薬を含む、請求項１〜６のいずれか一項に記載の大腸癌マーカーを検出するためのキット。
【請求項８】
前記大腸癌マーカーの存在量を測定する手段を含む、請求項１〜６のいずれか一項に記載の大腸癌マーカーを検出するための装置。
【請求項９】
大腸癌を検出するための請求項１〜６のいずれか一項に記載の大腸癌マーカーの使用。
【請求項１０】
被検動物における大腸癌を検出する方法であって、該被検動物から採取された体液中のマーカーの存在量を測定する工程、を含み、ここで該マーカーが請求項１〜６のいずれか一項に記載の大腸癌マーカーである、大腸癌検出方法。
【請求項１１】
前記マーカーの前記存在量または該存在量に基づく算出値が、前記被検動物が大腸癌を有することの指標となる、請求項１０に記載の大腸癌検出方法。
【発明の詳細な説明】
【技術分野】
【０００１】
本発明は、大腸癌マーカー及び大腸癌検出方法に関する。具体的には、体液中の特定の糖タンパク質又はその断片からなる大腸癌マーカー、及び大腸癌マーカーの存在量を指標とする大腸癌の検出方法に関する。また、対応するキット及び装置も提供される。
【背景技術】
【０００２】
現在、癌の診断は内視鏡やＰＥＴ、ＭＲＩといった画像診断が中心であるが、これらは患者に対する苦痛が大きく、または費用負担が大きいなどの理由で、健常人が定期的に受ける診断として必ずしも普及していないのが実情である。
【０００３】
自覚症状のない初期癌を発見するためには、画像診断よりも簡便でかつ費用の少ない血液検査が望ましいが、現在の癌マーカーは精度が不十分であるために、健常人が定期的に受ける健康診断では実施されていない。仮にこれを実施すると偽陽性と判定される健常者が続出し、彼らの追加検査（画像診断など）によっては病院の診断機能が麻痺してしまうためである。
【０００４】
例えば、非特許文献１には、大腸癌マーカーとしてＣＥＡ、ＣＡ１９−９等が記載されている。しかしながら、これら公知の大腸癌マーカーは、感度・特異性の点で十分ではない。
【０００５】
一方、非特許文献２には、ロイシンリッチα２グリコプロテイン１（ＬＲＧ１）の血中濃度が卵巣癌患者において上昇している事が知られている。しかしながら、大腸癌との関係に関する記載は無く、また糖鎖構造についての記載も無い。
【先行技術文献】
【非特許文献】
【０００６】
【非特許文献１】Asian Pac J Cancer Prev. 2013;14(7):4289-94. CEA and CA 19-9 are still valuable markers for the prognosis of colorectal and gastric cancer patients.
【非特許文献２】John D Andersen, Kristin LM Boylan, Ronald Jemmerson, Melissa A Geller, Benjamin Misemer, Katherine M Harrington, Starchild Weivoda, Bruce A Witthuhn, Peter Argenta, Rachel Isaksson Vogel, Amy PN Skubitz1, Leucine-rich alpha-2-glycoprotein-1 is upregulated in sera and tumors of ovarian cancer patients. Jounal of Ovalian Research 2010, 3:21
【発明の概要】
【発明が解決しようとする課題】
【０００７】
本発明は、感度および特異度が高い、新規な大腸癌マーカー、およびそれを用いた大腸癌の検出方法を提供することを課題とする。
【課題を解決するための手段】
【０００８】
本発明者らは上記課題を解決すべく、糖タンパク質と疾患との関係を検討した結果、Ｎ結合型糖鎖を有するロイシンリッチα２グリコプロテイン１（ＬＲＧ１）を大腸癌マーカーとして用いると、大腸癌を特異的に検出できることを見いだし、本発明を完成させるに至った。
【０００９】
即ち、本発明の要旨は、以下に存する。
［１］  ロイシンリッチα２グリコプロテイン１を含む大腸癌マーカーであり、かつ、
該ロイシンリッチα２グリコプロテイン１が、下記式（１）：
【化１】
2015184168.tif 000002
（式中、Ｘは独立してシアル酸または存在せず、Ｙは独立してフコースまたは存在しない）
で表されるＮ結合型糖鎖を有することを特徴とする、大腸癌マーカー。
［２］  ロイシンリッチα２グリコプロテイン１のペプチド断片からなる大腸癌マーカーであり、かつ、該ロイシンリッチα２グリコプロテイン１が、［１］で定義される式（１）で表されるＮ結合型糖鎖を有することを特徴とする、大腸癌マーカー。
［３］  前記ロイシンリッチα２グリコプロテイン１が、その７９番目のアスパラギン残基に前記式（１）で表されるＮ結合型糖鎖を有することを特徴とする、［１］または［２］に記載の大腸癌マーカー。ここで、上記ロイシンリッチα２グリコプロテイン１の番号付けは配列番号１の番号付けに対応する。以下、同様。
［４］  前記式（１）におけるＹの少なくとも一つがフコースである、［１］〜［３］のいずれかに記載の大腸癌マーカー。
［５］  前記式（１）におけるＸの少なくとも一つがシアル酸であることを特徴とする、［１］〜［４］のいずれかに記載の大腸癌マーカー。
［６］  前記式（１）で表されるＮ結合型糖鎖が、下記式（２）〜（４）：
【化２】
2015184168.tif 000003
【化３】
2015184168.tif 000004
【化４】
2015184168.tif 000005
のいずれかで表されるＮ結合型糖鎖であることを特徴とする、［１］〜［５］のいずれかに記載の大腸癌マーカー。
［６−２］  ロイシンリッチα２グリコプロテイン１に由来する［１］〜［６］で定義される式（１）で表されるＮ結合型糖鎖を含む、大腸癌マーカー。
［７］  前記大腸癌マーカーの存在量を測定し得る試薬を含む、［１］〜［６］のいずれか記載の大腸癌マーカーを検出するためのキット。
［８］  前記大腸癌マーカーの存在量を測定する手段を含む、［１］〜［６］のいずれか記載の大腸癌マーカーを検出するための装置。
［９］  大腸癌を検出するための［１］〜［６］のいずれか記載の大腸癌マーカーの使用。
［１０］  被検動物における大腸癌を検出する方法であって、該被検動物から採取された体液中のマーカーの存在量を測定する工程、を含み、ここで該マーカーが［１］〜［６］のいずれか記載の大腸癌マーカーである、大腸癌検出方法。
［１１］  前記マーカーの前記存在量または該存在量に基づく算出値が、前記被検動物が大腸癌を有することの指標となる、［１０］記載の大腸癌検出方法。
［１２−１］前記マーカーを測定する工程が
（ａ１）前記体液から全糖タンパク質を抽出する工程、および
（ａ２）該抽出された全糖タンパク質中に含まれる前記マーカーの存在量を測定する工程
を含む、［９］〜［１１］のいずれか記載の大腸癌検出方法。
［１２−２］前記マーカーを測定する工程が
（ｂ１）前記体液中の全糖タンパク質からロイシンリッチα２グリコプロテイン１を分離する工程、および
（ｂ２）該分離されたロイシンリッチα２グリコプロテイン１における前記マーカーの存在量の存在量を測定する工程を含む、［９］〜［１１］のいずれか記載の大腸癌検出方法。
［１３−１］大腸癌を有する又は大腸癌の素因を有する被検動物における大腸癌治療薬または予防薬による処置の効果を評価する方法であって、
１）処置前に該被検動物から採取された体液中のマーカーの存在量を測定する工程、および
２）処置後に該被検動物から採取された体液中のマーカーの存在量を測定する工程
を含み、ここで該マーカーが［１］〜［６］のいずれか記載の大腸癌マーカーであり、ここで２）で得られた値が１）で得られた値よりも低い場合に、処置効果があったことを示す、評価方法。
［１４−１］大腸癌予防薬候補化学物又は大腸癌治療薬候補化合物を評価する方法であって、および
１）該候補化合物の投与前に該被検動物から採取された体液中のマーカーの存在量を測定する工程、
２）該候補化合物の投与後に該被検動物から採取された体液中のマーカーの存在量を測定する工程
を含み、ここで該マーカーが［１］〜［６］のいずれか記載の大腸癌マーカーであり、ここで２）で得られた値が１）で得られた値よりも低い場合に、候補化合物が大腸癌予防薬または大腸癌治療薬として有用であることを示す、候補化合物評価方法。
［１５−１］大腸癌を有する又は大腸癌の素因を有する被検動物における手術処置の効果を評価する方法であって、
１）処置前に該被検動物から採取された体液中のマーカーの存在量を測定する工程、および
２）処置後に該被検動物から採取された体液中のマーカーの存在量を測定する工程
を含み、ここで該マーカーが［１］〜［６］のいずれか記載の大腸癌マーカーであり、ここで２）で得られた値が１）で得られた値よりも低い場合に、処置効果があったことを示す、処置効果評価方法。
［１６−１］前記得られた値が、前記マーカーの前記存在量または該存在量に基づく算出値である、［１３−１］〜［１５−１］のいずれか記載の処置効果評価方法。
［１７−１］前記マーカーを測定する工程が
（ｅ１）前記体液から全糖タンパク質を分離する工程、および
（ｅ２）該全糖タンパク質中に含まれる前記マーカーを測定する工程
を含む、［１５−１］〜［１６−１］のいずれか記載の処置効果評価方法。
［１８−２］前記マーカーを測定する工程が
（ｆ１）前記体液中の全糖タンパク質からロイシンリッチα２グリコプロテイン１を分離する工程、および
（ｆ２）該分離されたロイシンリッチα２グリコプロテイン１における前記マーカーの存在量を測定する工程を含む、［１５−１］〜［１６−１］のいずれか記載の処置効果評価方法。
【発明の効果】
【００１０】
本発明により、従来よりも感度および特異度の高い大腸癌マーカー、大腸癌の検出方法、および大腸癌検出用測定キットまたは装置を提供することができる。
【図面の簡単な説明】
【００１１】
【図１】精製標品ロイシンリッチα２グリコプロテイン１とペプチドＡとのＭＳＭＳ解析の比較を示す。各グラフの横軸は質量電荷比（ｍ／ｚ）、縦軸はピーク面積を示す。
【図２】大腸癌検出について、ペプチドＡ、ＣＥＡおよびＣＡ１９−９のＲＯＣを比較した結果を示す。
【発明を実施するための形態】
【００１２】
＜大腸癌マーカー＞
本発明は、ロイシンリッチα２グリコプロテイン１（以下、「ＬＲＧ１」と称する場合がある。）を含む大腸癌マーカーであり、かつ、該ロイシンリッチα２グリコプロテイン１が、式（１）： 
【化１】
2015184168.tif 000006
（式中、Ｘは独立してシアル酸または存在せず、Ｙは独立してフコースまたは存在しない）
で表されるＮ結合型糖鎖を有することを特徴とする、大腸癌マーカーを提供する。
ここで、式（１）において、Ｇａｌはガラクトース、ＧｌｃＮＡｃはＮアセチルグルコサミン、Ｍａｎはマンノースを示し、また、末端のＧｌｃＮＡｃにおいてＬＲＧ１のアスパラギン残基と結合する。以下、本明細書において同様である。
また、上記のような前記式（１）で表されるＮ結合型糖鎖（以下、「本発明のＮ結合型糖鎖」と称することがある。）を有するＬＲＧ１を、以下、「本発明のＬＲＧ１」と称することがある。
【００１３】
本明細書において、「大腸癌」とは、被検動物の大腸にできる任意の悪性新生物のことを指す。大腸癌の例として、結腸癌、直腸癌、盲腸癌が挙げられるが、これらに限定されない。
【００１４】
本発明におけるＮ結合型糖鎖とは、タンパク質のアスパラギン残基の側鎖のアミド基の窒素原子に結合する糖鎖を指す。Ｎ結合型糖鎖を構成する糖は、マンノース、ガラクトース、ＮアセチルＤグルコサミン、シアル酸、およびフコース等が含まれるがこれに限定されない。Ｎ結合型糖鎖はマンノースを基点として分岐を形成しているものが含まれ、例えば２本分岐鎖、３本分岐鎖、４本分岐鎖等がある。本発明のＮ結合型糖鎖は、式（１）で表されるＮ結合型糖鎖であり、式中、Ｘは独立してシアル酸または存在せず、Ｙは独立してフコースまたは存在しない。一つの好ましい態様として、式（１）のＹの少なくとも一つがフコースである。また、一つの好ましい態様として、式（１）のＸの少なくとも一つがシアル酸であり、一つのより好ましい態様として、式（１）に含まれるＸすべてがシアル酸である。本発明のＮ結合型糖鎖の具体的な構造としては、Ａ３Ｇ３Ｓ３、Ａ３Ｇ３Ｓ３Ｆ１などが挙げられるが、これに限定されない。ここで、Ａは分岐数、Ｇはガラクトース数、Ｓはシアル酸数（好ましくは、Ｎ−アセチルノイラミン酸数）、Ｆはフコース数を示す。好ましくは、Ｎ結合型糖鎖の具体的な構造は式（２）から（４）：
【化２】
2015184168.tif 000007
【化３】
2015184168.tif 000008
【化４】
2015184168.tif 000009
のいずれかで表されるＡ３Ｇ３Ｓ３Ｆ１である。ここで、式（２）〜（４）において、ＮｅｕＡｃは、Ｎ−アセチルノイラミン酸、Ｆｕｃはフコースを示す。以下、本明細書において同様である。
【００１５】
本発明のＮ結合型糖鎖におけるシアル酸とガラクトースの結合様式は、理論的にはシアル酸の全ての水酸基とガラクトースの全ての水酸基との組み合わせの結合様式から選択され、特に限定されない。好ましくは、結合様式は、α２−３結合（シアル酸の２番目の炭素のα方向とガラクトースの３番目の炭素との結合）またはα２−６結合（シアル酸の２番目の炭素のα方向とガラクトースの６番目の炭素との結合）が望ましい。シアル酸の種類は、Ｎ-アセチルノイラミン酸、Ｎ−グリコリルノイラミン酸、デアミノノイラミン酸、２，３−デヒドロノイラミン酸、Ｎ−アセチル−２，７−アンヒドロノイラミン酸などを含むが、特に限定されない。好ましくは、シアル酸は、Ｎ−アセチルノイラミン酸が最も望ましい。
【００１６】
本発明のマーカーは、ガラクトース数とシアル酸数を同一数含むこと、即ち、Ｎ結合型糖鎖に含まれるすべてのガラクトース残基がシアル酸と１モル：１モルで結合していることが好ましい。本明細書中、前記状態であるＮ結合型糖鎖を、フルシアル化糖鎖と称する場合がある。また、シアル酸の数がガラクトースの数を下回っているＮ結合型糖鎖を、本明細書中において非フルシアル化糖鎖と称する場合がある。非フルシアル化糖鎖の具体的な構造としては、Ａ２Ｇ２Ｓ１やＡ３Ｇ３Ｓ２等が挙げられる。
【００１７】
本明細書において、ロイシンリッチα２グリコプロテイン１（ＬＲＧ１）は、血管新生を促す、血液に含まれるタンパク質を指す。
【００１８】
本発明のＬＲＧ１のアミノ酸配列はそれぞれ、例えばＮＣＢＩ（National Center for Biotechnology Information）に登録されているような、当業者に公知の配列を含む。例えばＬＲＧ１のアミノ酸配列は、典型的には配列番号１のアミノ酸配列からなるが、本発明の効果が得られる範囲内で変異（アミノ酸の付加、欠失、置換など）が入っていてもよい。すなわち、本発明のＬＲＧ１は、好ましくは、配列番号１の配列または配列番号１と少なくとも９０％配列同一性を有する配列からなるポリペプチドである。ここで、少なくとも９０％配列同一性を有する配列においては、後述するＮ結合糖部位となるアスパラギン酸残基（好ましくはＡｓｎ７９）は保存されている。
【００１９】
本発明のＬＲＧ１は、Ｎ結合糖鎖結合部位となるアスパラギン残基を有し、本発明のＮ結合型糖鎖がアスパラギンとＮ−グリコシド結合をなしている。ＬＲＧ１に含まれるアスパラギン残基全てがＮ結合糖鎖結合部位となり得るが、本発明のＬＲＧ１は、その３７番目、７９番目、１８６番目、２６９番目、および３２５番目からなる群から選ばれる少なくとも一つのアスパラギン残基（Ａｓｎ３７、Ａｓｎ７９、Ａｓｎ１８６、Ａｓｎ２６９、およびＡｓｎ３２５からなる群から選ばれる少なくとも一つのアスパラギン残基）に前記式（１）で表されるＮ結合型糖鎖を有することが好ましく、Ａｓｎ７９に有することがより好ましい。ここで、アミノ酸位置の番号付けは配列番号１の番号付けに対応し、本発明のＬＲＧ１に上記変異（特に付加又は欠失）が入っている場合は、実際のＬＲＧ１におけるＮ結合糖鎖結合部位となるアスパラギン残基の位置は変異に応じて変動しうる。
【００２０】
ある態様において、本発明のマーカーは、本発明のＬＲＧ１のペプチド断片（本発明のＮ結合型糖鎖を有する）を含む。ここで、本発明のＬＲＧ１のペプチド断片とは、Ｎ結合糖鎖結合部位となるアスパラギン残基を含む任意のポリペプチドの一部分である。ＬＲＧ１のペプチド断片の具体例としては、ＬＲＧ１をトリプシン、リシルエンドペプチターゼ、及びＡｓｐＮ等のプロテアーゼで分解した結果生じるポリペプチドが挙げられるが、これに限定されない。
【００２１】
一つの態様において、本発明のＬＲＧ１のペプチド断片からなるマーカーは、配列番号１の位置４８〜位置９２からなる配列、又はその配列と少なくとも９０％配列同一性を有する配列（但し、Ａｓｎ７９は保存されていることが好ましい。）からなる本発明のＮ結合型糖鎖を少なくとも一つ有するポリペプチドである。
【００２２】
また別の態様において、本発明のマーカーは、上記ＬＲＧ１に由来するＮ結合型糖鎖を含む。本発明のマーカーとしての本発明のＮ結合型糖鎖は、上記式（１）で表されるＮ結合型糖鎖である。
【００２３】
＜大腸癌の検出方法＞
本発明はまた、被検動物における大腸癌を検出する方法であって、被検動物から採取された体液中の、上記の本発明の大腸癌マーカーの存在量を測定する方法（以降、本発明の大腸癌検出方法と称することがある）を提供する。
【００２４】
本発明の大腸癌検出方法は、より具体的には、上記の本発明の大腸癌マーカーであるＬＲＧ１、ＬＲＧ１のペプチド断片またはＬＲＧ１に由来するＮ結合型糖鎖を測定することにより該マーカーの存在量を決定し、ここで該マーカーの存在量又は該存在量に基づく算出値が、被検動物が大腸癌を有することの指標となる方法である。つまり、体液中から、本発明のＮ結合型糖鎖を有するＬＲＧ１の存在量、またはＬＲＧ１に含まれる本発明のＮ結合型糖鎖の存在量を決定し、必要に応じて解析を行なうことで検出する方法である。
【００２５】
ここで、本発明の検出方法においては、必ずしも上述の本発明の大腸癌マーカー（ＬＲＧ１）全体を検出する必要はなく、本発明の大腸癌マーカーであることが判定できればその部分構造を検出するような測定方法を用いてもよい。また、上述の本発明の大腸癌マーカーの好ましい構造として挙げたＮ結合型糖鎖を有するＬＲＧ１のうち１種を単独でマーカーとして用いることもできるが（例えばＬＲＧ１にＡ３Ｇ３Ｓ３Ｆ１が結合した糖タンパク質のみをマーカーとする）、それらの２種以上の混合物をマーカーとして用いる、つまり、それらの混合物の合計量を大腸癌検出のための指標として用いることも可能である。このような検出を行うことができれば、測定方法自体に特に制限はない。
【００２６】
本発明の方法の検体としては、被検動物から採取された体液が用いられる。体液としては、血液、リンパ液、髄液、尿及びその処理物などが用いられるが、好ましくは血液、さらに好ましくは該血液を分離して得られる血清、血漿が用いられる。また、被検動物は、大腸癌を有する可能性がある任意の哺乳動物であり、ヒト、チンパンジー、カニクイザル、イヌ、ネコ、ラット、マウスなどが挙げられる。被検動物は、好ましくはヒトである。
【００２７】
本発明の大腸癌検出方法における測定方法の具体例としては、例えば、以下の２つの方法が挙げられる。
（１）被検動物から採取された体液中の全糖タンパク質から、本発明のＬＲＧ１の存在量を測定する工程を有することを特徴とする、大腸癌検出方法。
（２）被検動物から採取された体液中の糖タンパク質から予めＬＲＧ１を分離する工程、および、分離されたＬＲＧ１に含まれる本発明のＮ結合型糖鎖の存在量を測定する工程を有することを特徴とする、大腸癌検出方法。
【００２８】
特定の態様において、前記（１）被検動物から採取された体液中の糖タンパク質から、本発明のＬＲＧ１の存在量を測定する工程を有する大腸癌検出方法とは、本発明の検出方法におけるマーカーを測定する工程が（ａ１）被検動物から採取された体液から全糖タンパク質を抽出する工程、および（ａ２）該全糖タンパク質中に含まれる前記マーカーの存在量を測定する工程、を含む本発明の大腸癌検出方法である。この方法は、被検動物から採取された体液中の糖タンパク質からＬＲＧ１のみを測定対象として、本発明の大腸癌マーカーの存在量を測定する工程を有する検出方法である。またこの検出方法は、好ましくは、質量分析装置等により、本発明のマーカーであるＮ結合型糖鎖を有するＬＲＧ１のペプチド断片を検出し、その存在量を測定することにより行なう。
【００２９】
より特定の態様において、被検動物から採取された体液に含まれる全糖タンパク質を抽出し、抽出された全糖タンパク質をプロテアーゼ等によりペプチド断片化し（以下、断片化された糖タンパク質を「糖ペプチド断片」と称する）、得られた糖ペプチド断片の混合物から、本発明のマーカーであるＮ結合型糖鎖を有するＬＲＧ１のペプチド断片を質量分析装置等で検出する方法が挙げられる。断片化した糖ペプチド断片はそのまま質量分析装置で計測しても問題ないが、レクチンなどで予め濃縮することが望ましく、さらにはＡＡＬレクチン、ＳＳＡレクチン、またはＥＣＡレクチンを使って糖ペプチドを濃縮することが望ましい。質量分析装置による計測は、質量分析装置単体でも問題ないが、液体クロマトグラフィーやキャピラリー電気泳動などのクロマトグラフィーと組み合わせることが望ましい。目的の糖ペプチドの存在量を測定する方法としては、目的糖鎖ピーク面積を計測する方法が挙げられる。以下、本発明の大腸癌マーカーを検出する方法について工程ごとに詳細に説明する。
【００３０】
被検動物から採取された体液から全タンパク質を取り出す工程は、体液に対し２〜１０倍の溶媒を加える。溶媒はタンパク質を沈殿させるものであればどのようなものでもよく、アセトン、メタノール、エタノール、トリクロロ酢酸、塩酸水溶液などが好ましいが、アセトン、トリクロロ酢酸が特に好ましい。沈殿したタンパク質は変性後、還元アルキル化し、プロテアーゼを使いペプチド断片化する。プロテアーゼはタンパク質をペプチド断片に分解するものであればどのようなものでもよいが、トリプシン、リシルエンドペプチターゼ、またはその両方が用いることが望ましい。
【００３１】
分解後のペプチドはそのまま分析してもよいが、抗体やレクチンを使って糖ペプチド断片を濃縮すること、特に、本発明の大腸癌マーカー由来の糖ペプチド断片を濃縮することが望ましい。具体的にはレクチンカラムを使って糖ペプチドを濃縮することが好ましく、特にＡＡＬレクチン、ＳＳＡレクチン、またはＥＣＡレクチンカラムを用いることが望ましい。検出方法は、濃縮した糖ペプチドの中から本発明の大腸癌マーカー由来の糖ペプチドを選択的に検出できる分析方法であれば、どのような方法でもよいが、好ましくは液体クロマトグラフィー質量分析装置が用いられる。ＬＲＧ１の標準品の分解物と照合することで、混合物の中から本発明の大腸癌マーカー由来糖ペプチドを見分けることができる。
【００３２】
別の態様において、前記（２）体液中の糖タンパク質から予めＬＲＧ１を分離する工程、および、分離されたＬＲＧ１に含まれる本発明のＮ結合型糖鎖の存在量を測定する工程を有することを特徴とする、大腸癌検出方法は、本発明の方法におけるマーカーを測定する工程が、（ｂ１）前記体液中の全糖タンパク質からＬＲＧ１を分離する工程（ＬＲＧ１分離工程（ｂ１））、および（ｂ２）該分離されたＬＲＧ１における前記マーカーの存在量を測定する工程（マーカー測定工程（ｂ２））、を含む本発明の大腸癌検出方法である。なお、マーカー測定工程（ｂ２）において測定されるマーカーは、本発明の大腸癌マーカーであり、本発明のＮ結合型糖鎖、本発明のＮ結合型糖鎖を有するＬＲＧ１、または本発明のＮ結合型糖鎖を有するＬＲＧ１のペプチド断片を含むマーカーである。
【００３３】
以下、前記（ｂ１）および（ｂ２）について工程ごとに詳細に説明する。
前記ＬＲＧ１分離工程（ｂ１）としては、ＬＲＧ１を特異的に認識して、その他の糖タンパク質も含む被検動物から採取された体液からＬＲＧ１を分離し得る方法であればいずれのものでもよい。具体的には、抗ＬＲＧ１抗体を用いた免疫沈降法または抗体アフィニティーカラムによりＬＲＧ１を分離する方法が挙げられる。
【００３４】
この（ｂ１）工程の具体例としては、以下の方法が挙げられる。まず、アガロースビーズまたは磁気ビーズにＬＲＧ１に対する抗体を結合させる。ここで、結合の様式は共有結合でもよいし、ビオチン−アビジンによる結合でもよい。次に、抗体結合ビーズに対して被検動物から採取された体液を接触させ、ビーズ上の抗体にＬＲＧ１を結合させた後、ビーズを充分に洗浄し、さらに弱酸を用いてビーズ上の抗体からＬＲＧ１を遊離させることで、ＬＲＧ１を分離する。
【００３５】
次に、マーカー測定工程（ｂ２）を行なう。前記ＬＲＧ１分離工程（ｂ１）で分離されたＬＲＧ１に含まれる、本発明のＮ結合型糖鎖、本発明のＮ結合型糖鎖を有する糖タンパク質、または本発明のＮ結合型糖鎖を有するペプチド断片からなるマーカーの存在量を測定する。以下、（ｂ２）工程において本発明のＮ結合型糖鎖からなるマーカーの存在量を測定する場合について、より具体的に説明する。
【００３６】
本発明のＮ結合型糖鎖からなるマーカーを検出する方法としてはいずれのものでもよいが、例えば、前記ＬＲＧ１分離工程（Ａ）で分離されたＬＲＧ１の糖鎖部分を、グリカナーゼやヒドラジンを使って分解して遊離させた後、測定の対象とする該糖鎖部分を必要に応じて誘導体化または化学修飾して、液体クロマトグラフィー等により本発明の糖鎖部分を分離することで、その存在量を測定することができる。
【００３７】
ＬＲＧ１から糖鎖部分を分解する方法としては、ヒドラジン分解法や、酵素（Ｎ−グリカナーゼ）消化法等が挙げられる。これらのうち、定量的に糖鎖を切断するにはヒドラジン分解法が好ましく、例えば、Y. Otake et al., J Biochem (Tokyo)129 (2001) 537-42に記載の方法等が好ましく用いられる。ここで、ヒドラジン分解法を用いた場合には、ヒドラジン分解によって脱離したアセチル基を再アセチル化する必要があり、例えば、K. Tanabe et al., Anal.Biochem. 348 (2006) 324-6.記載の方法等を用いることができる。
【００３８】
上述のようにして調製した糖鎖において、検出したい糖鎖部分を標識、誘導体化する方法としては、特に限定されるものではないが、質量分析法装置を使う場合はイオン化効率を高める４級アンモニウム標識法、より具体的には、ＴＭＡＰＡ (トリメチル(４-アミノフェニル)アンモニウムクロライド)を用いる標識方法が特に好ましい。蛍光検出器を使う場合は２-アミノピリジンにより糖鎖部分を標識することが好ましい。また、上述のようにして標識した糖鎖部分を誘導体化する方法として、標識にＴＭＡＰＡを用いる場合は、例えば、M. Okamoto et al., Rapid Commun Mass Spectrom 9 (1995) 641-3.に記載の方法等が用いられ、標識に2-アミノピリジンを用いる場合はY. Otake et al., J Biochem (Tokyo) 129 (2001) 537-42に記載の方法等が用いられる。
【００３９】
上述のようにして、標識、誘導化された糖鎖を分離する方法としては、液体クロマトグラフィーの他、電気泳動等を用いることができるが、好ましくは液体クロマトグラフィーを用いることができる。液体クロマトグラフィーの条件は特に限定されるものではないが、逆相または順相カラムが望ましく、溶離液が安定的に送液できるものであればどのような仕様でもよく、特に限定されるものではない。
【００４０】
次に、本発明のＮ結合型糖鎖の存在量の測定を行なうが、この方法としては、本発明のＮ結合型糖鎖を選択的に検出できるものであれば、特に限定されるものではない。具体的な測定方法としては、紫外可視光吸収法、蛍光検出法、質量分析法、核磁気共鳴法、本発明の糖鎖部に特異的な抗体を用いる方法などが挙げられ、中でも、蛍光検出法や質量分析法が望ましい。
【００４１】
蛍光検出法を用いて検出する場合は、上述の２−アミノピリジンなどの蛍光物質で予め糖鎖を標識化する必要がある。蛍光検出法の検出条件は、検出対象とする本発明の糖鎖部を検出できるものであれば、特に限定されるものではない。２−アミノピリジンを標識化合物に使った場合は、励起光に波長２８０ｎｍ〜３３０ｎｍ、蛍光検出に波長３５０ｎｍ〜４２０ｎｍを選択することが好ましい。
【００４２】
また、質量分析法を使う場合は上述の２−アミノピリジンやＴＭＡＰＡにより予め糖鎖にイオン性化合物を付加することが望ましく、特にＴＭＡＰＡを用いることが望ましい。質量分析法を用いて検出する場合、質量分析装置の検出範囲としては、検出対象とする本発明の糖鎖部を検出できる範囲であれば、特に限定されるものではない。イオン化法はＥＳＩの他、ＡＰＣＩなどでもよいが、ＥＳＩが最も好ましい。質量分析装置は四重極型、ＴＯＦ型、イオントラップ型、磁場型、フーリエ変換型のいずれでもよいが、定量性の高い四重極型、感度の高いＴＯＦ型、イオントラップ型が特に好ましい。また、検出するイオンは、親イオンに限定されるものではなく、フラグメントイオン、付加イオン、２量体イオンなど関連イオンであってもよい。このようにして求められる本発明の癌マーカーの含有量を測定する方法としては、検出対象とする糖鎖（本発明の糖鎖部）に相当するピークのピーク面積を計測する方法等が挙げられる。なお、質量分析法を用いて検出する場合、液体クロマトグラフィーの機能も有するＬＳ−ＭＳを用いることが好ましい。
【００４３】
また、上述した方法の他、被検動物から採取された体液から、本発明のＮ結合型糖鎖を有する糖タンパク質を分離する工程と、分離された本発明のＮ結合型糖鎖をもつ糖タンパク質に含まれるＬＲＧ１の存在量を測定する工程とを含む方法を用いることもできる。すなわち、本発明の方法におけるマーカーを測定する工程が、（ｃ１）前記体液中の全糖タンパク質から本発明のＮ結合型糖鎖を有する糖タンパク質を分離する工程、および（ｃ２）該分離された糖タンパク質におけるＬＲＧ１の存在量を測定する工程、を含む大腸癌検出方法である。
【００４４】
（評価方法）
上述の本発明の検出方法により、被検動物から採取された体液中の本発明の大腸癌マーカーの存在量、または本発明の大腸癌マーカーの存在量に基づく算出値を指標として、該体液を提供した被検動物の大腸癌の可能性を判断することができる。
【００４５】
「本発明の大腸癌マーカーの存在量に基づく算出値」とは、「本発明の大腸癌マーカーの存在量」と、他の指標とを組み合わせ、算出したものをいう。「本発明の大腸癌マーカーの存在量」と組み合わせる指標としては、大腸癌判定の精度が上がれば特に制限されるものではないが、他の癌マーカー値、生化学検査値、特定のタンパク質量や全タンパク質量、代謝物の発現量等が挙げられ、より具体的には、体液中の総糖タンパク質量（体液中に含まれる全ての糖タンパク質の存在量の総量をいう。）、体液中のＬＲＧ１の総量（糖鎖の構造に関わらず、体液中に含まれるＬＲＧ１の存在量の総量をいう。）、質量分析または蛍光検出器で検出した全ピークの合計面積などが挙げられる。中でも、本発明の大腸癌マーカーの存在量と、ＬＲＧ１の総量との比を指標とすることや、本発明の大腸癌マーカーの存在量と、体液中の総糖タンパク質量との比を指標とすることが好ましい。
【００４６】
組み合わせる他の指標の数は限定されないが、「本発明の大腸癌マーカーの存在量」を含め、２〜５個が好ましく、２〜３個が特に好ましい。組み合わせの方法（計算方法）は特に限定されるものではないが、２個の指標を組み合わせるときは和、差、比や線形一次式を用いたり、３個以上の指標を組み合わせるときは、線形一次式を用いたりすることが好ましい。
【００４７】
本発明における大腸癌検出方法では、大腸癌マーカー糖タンパク質の存在量として、その絶対量を必ずしも求める必要はなく、上記測定方法などで検出された個々の大腸癌マーカー糖タンパク質固有のピークを数値化したり、基準とするピークとの比を求めたりすることによっても求めることもできる。この具体的な方法としては、検出された各ピークの高さを数値化する方法、ピーク面積を数値化する方法等があり、液体クロマトグラフィーでは定量性を有する測定方法であるのでどちらかに限定されるものではないが、ＬＣ−ＭＳ法ではピーク面積を数値化する方法が、精度がよく、好ましい。
【００４８】
被検動物の大腸癌の可能性を判断するにあたっては、例えば、被検動物の体液中の本発明の大腸癌マーカーの存在量、または本発明の大腸癌マーカーの存在量に基づいて算出される値を、参照値または予め設定されたカットオフ値と比較することにより行なう。
【００４９】
本発明における参照値とは、比較対象とする非癌動物から採取された体液中の本発明の大腸癌マーカーの存在量、または本発明の大腸癌マーカーの存在量のことであり、具体的には、健常者、非癌患者（糖尿病患者など）、および大腸病変のある非癌患者（子宮内膜症、大腸腫瘍）からなる群から選ばれる少なくとも一種の、体液中の本発明の大腸癌マーカーの存在量、または本発明の大腸癌マーカーの存在量のことであり、複数のサンプルの平均値を用いることが好ましい。
【００５０】
「本発明の大腸癌マーカーの存在量」は、非癌動物の体液中では少ないが、大腸癌動物の体液中では顕著に多くなる。従って、特定の態様において、本発明の大腸癌検出方法において体液中の「本発明の大腸癌マーカーの存在量」または該大腸癌マーカーの存在量に基づく算出値が前記参照値より有意に大きいとき又は予め設定されたカットオフ値より大きいときに、その被検動物は大腸癌を発症している可能性が高いということができる。
【００５１】
また、本発明におけるカットオフ値とは、本発明の検出方法により得られた大腸癌マーカーの存在量又は大腸癌マーカーの存在量に基づく算出値と比較して、大腸癌を有する動物と非癌動物を区別する値を指す。好ましくは、カットオフ値は、ＲＯＣ解析に基づき設定される。
【００５２】
＜大腸癌予防薬または治療薬の評価方法＞
また、本発明は、大腸癌を有する又は大腸癌の素因を有する被検動物における大腸癌予防薬もしくは治療薬を用いた処置の効果を評価する方法を提供する。具体的には、大腸癌を有する又は大腸癌の素因を有する被検動物における大腸癌の治療薬または予防薬を用いた処置の応答性を決定する方法であって、（１）処置前に該被検動物から得られた体液中の本発明の大腸癌マーカーの存在量を測定する工程、および（２）処置後に該被検動物から得られた体液中の本発明の大腸癌マーカーの存在量を測定する工程、を含む、方法である。このように、大腸癌予防薬もしくは治療薬を動物に投与した後に、該動物より採取された体液中の本発明の大腸癌マーカーの存在量を測定し、得られた本発明の大腸癌マーカーの存在量またはその値に基づき算出される値を指標とすることによって、該動物における大腸癌の予防もしくは治療効果の評価を行うこともできる。
【００５３】
例えば、本発明の大腸癌マーカーの存在量またはその存在量に基づく算出値を、大腸癌予防薬もしくは治療薬投与前（（１）において得られた値）と投与後数日〜数ヵ月の時点（（２）において得られた値）において比較し、後者における本発明の大腸癌マーカーの存在量またはその値に基づいて算出される値が低下していれば予防または治療効果があったと判断することができる。評価対象の動物として好ましくはヒトである。
【００５４】
ここで用いる大腸癌治療薬としては、例えば、シスプラチン、タキソール、カルボプラチン、パクリタキセル、ドセタキセルなどが挙げられる。
【００５５】
＜大腸癌予防薬又は治療薬候補化合物の評価方法＞
さらに、本発明は、大腸癌予防薬候補化学物又は大腸癌治療薬候補化合物を評価する方法を提供する。具体的には、大腸癌予防薬候補化学物又は大腸癌治療薬候補化合物を評価する方法であって、（１）処置前に該被検動物から得られた体液中の本発明の大腸癌マーカーの存在量を測定する工程、および（２）処置後に該被検動物から得られた体液中の本発明の大腸癌マーカーの存在量を測定する工程、を含む方法である。このように、大腸癌予防薬または治療薬の候補化合物を動物に投与した後に該動物より採取された体液中の本発明の大腸癌マーカーの存在量を測定し、該本発明の大腸癌マーカーの存在量またはそれから算出される値を指標とすることによって、該候補化合物の大腸癌の予防もしくは治療効果を評価することもできる。
【００５６】
例えば、本発明の大腸癌マーカーの存在量またはその存在量に基づく算出値を、候補化合物投与前（（１）において得られた値）と投与後数日〜数ヵ月の時点（（２）において得られた値）において比較し、後者における本発明の大腸癌マーカーの存在量または存在量に基づく算出値が低下していれば、該候補化合物は大腸癌予防薬または治療薬の有力な候補物質であると判断することができる。
【００５７】
ここで用いる候補化合物としては、低分子化合物でもよいし、ペプチドやタンパク質（抗体）などであってもよい。また、評価対象の動物として好ましくはヒトである。
【００５８】
＜大腸癌の手術処置の効果の評価方法＞
さらに、本発明は、大腸癌を有する又は大腸癌の素因を有する被検動物における手術処置の効果を評価する方法を提供する。具体的には、大腸癌を有する又は大腸癌の素因を有する被検動物における手術処置の効果を評価する方法であって、（１）処置前に該被検動物から得られた体液中の本発明の大腸癌マーカーの存在量を測定する工程、および（２）処置後に該被検動物から得られた体液中の本発明の大腸癌マーカーの存在量を測定する工程、を含む、方法である。このように、手術の処置前後に被検動物より採取された体液中の本発明の大腸癌マーカーの存在量を測定し、該本発明の大腸癌マーカーの存在量またはそれから算出される値を指標とすることによって、手術処置の効果を評価することもできる。
【００５９】
例えば、本発明の大腸癌マーカーの存在量またはその存在量に基づく算出値を、手術処置前（（１）において得られた値）と手術処置後数日〜数ヵ月の時点（（２）において得られた値）において比較し、後者における本発明の大腸癌マーカーの存在量または存在量に基づく算出値が低下していれば、手術処置が成功したと判断することができる。一方、後者における本発明の大腸癌マーカーの存在量または存在量に基づく算出値が上昇している場合、手術処置が成功しなかったか、大腸癌の再発が疑われる。
【００６０】
ここで行われる手術処置は、被検動物から大腸癌を取り除く手術であれば任意の手術処置で良い。また、評価対象の動物として好ましくはヒトである。
【００６１】
＜大腸癌検出用測定キットまたは装置＞
本発明の大腸癌検出用測定キットまたは大腸癌検出用測定装置（以下、「本発明のキット」または「本発明の装置」と称する場合がある。）とは、本発明のＬＲＧ１の存在量を測定し得る試薬を含んでいることを特徴とする、大腸癌検出用キットまたは装置である。
【００６２】
即ち、本発明のキットまたは装置は、一種類以上の本発明の大腸癌マーカー糖タンパク質の体液中の存在量を測定し得る試薬を含むものである。このような試薬としては、ＬＲＧ１を特異的に認識する抗体や、本発明の糖鎖部を特異的に認識する抗体、タンパク質をペプチド断片に分解する酵素などが挙げられる。ここで使用する抗体としては、ポリクローナル抗体、モノクローナル抗体、これらのフラグメントのいずれであってもよい。このような抗体は、ＬＲＧ１や、本発明の糖鎖部あるいはタンパク質部を抗原として公知の方法により取得することができる。また、抗体に加えて、本発明の糖鎖部を特異的に認識するレクチンを加えてもよい。
【００６３】
本発明のキットまたは装置は、大腸癌の検出だけではなく、大腸癌の治療効果または予防効果の評価や、大腸癌の治療薬または予防薬の候補化合物の評価用いることができる。
【００６４】
＜大腸癌を検出するための大腸癌マーカーの使用＞
本発明はまた、大腸癌を検出するための本発明の大腸癌マーカーの使用を提供する。好ましくは、ｉｎ  ｖｉｔｒｏにおける本発明の方法における使用である。
【実施例】
【００６５】
次に、本発明を実施例により更に詳細に説明するが、本発明はその要旨を超えない限り以下の実施例に限定されるものではない。
【００６６】
［測定条件］
血清サンプルから得られた糖ペプチドについて液体クロマトグラフィー（Agilent HP1200、Agilent technologies社製）および質量分析装置（Q-TOF 6520、Agilent technologies社製）を用いて以下の条件で測定を行なった。
液体クロマトグラフィーのカラムはイナートシルＯＤＳ４（内径１．５ｍｍ，長さ１００ｍｍ，粒径２μｍ）を用いた。溶離液にはＡ液：０．１％ギ酸水溶液，Ｂ液：０．１％ギ酸、９０％アセトニトリル水溶液を使用し、４０分間かけてＢ液比率を１０％から５６％まで直線的に変化させた後、さらに１０分間Ｂ液比率を５６％に維持した。カラムオーブン温度は４０℃、流速は０．１ｍｌ／分とした。質量分析はネガティブモードとし、キャピラリーボルテージ：４０００Ｖ，ネブライザーガス量：４５ｐｓｉ，ドライガス１０Ｌ／分（３５０℃）にて測定した。
ペプチド同定を目的とした前記質量分析装置を用いたＭＳＭＳ測定のコリジョンエネルギーは各ペプチドに応じて２０ｅＶ〜７０ｅＶ間で最適化した。
【００６７】
［ＲＯＣ解析によるＡＵＣ値］
ＡＵＣ値は以下のようにして算出した。比較したいサンプルを２群（グループＡ（非癌患者）と、グループＢ（大腸癌患者））に分け、ＡＵＣ値算出の対象とするマーカーのカットオフ（閾値）を０から∞に変化させたときの感度（大腸癌患者の陽性率）および１−特異度（非癌患者群の陰性率）をプロットしてＲＯＣカーブを作成した。ＲＯＣカーブは、縦１×横１の正方形の中に描かれ、感度＝１、特異度＝１の場合（すなわち大腸癌患者群を完全に非癌患者と識別できる場合）は左上の頂点を通る線となる。ＡＵＣ（Area Under Curve）値とは、ＲＯＣカーブにより区切られた正方形の右下部分の面積のことである（感度＝１、特異度＝１のときにＡＵＣは１となる）。
【００６８】
［実施例１］  大腸癌患者の血清中に存在するロイシンリッチαグリコプロテイン１（ＬＲＧ１）の糖鎖の検出および本発明の糖タンパク質含有量の測定
インフォームドコンセントを取得した血清をがん研究会有明病院、総合医科学研究所より入手した。はじめに、入手した血清サンプルを以下のグループに分類した。
グループ１：大腸癌患者グループ  ３０名
グループ２：健常者グループ    ６８名
【００６９】
次に各患者の血清１００μＬに対しアセトン４００μＬを加えた後、１２，０００ｒｐｍ、２０分間、４℃で遠心分離（ハイマックＣＴ１、日立工機）し、タンパク質を沈殿させた。上清を除去後、沈殿物に尿素を含む変性剤（尿素０．４ｇ、１Ｍトリス塩酸バッファー（ｐＨ８．５）５００μＬ、０．１Ｍ  ＥＤＴＡ水溶液５０μＬ、１Ｍ  ＴＣＥＰ水溶液２０μＬ、水１９０μＬ）を加え、タンパク質を変性後、ヨードアセトアミド１８０ｍｇにより還元アルキル化を行った。変性剤、還元剤を除去後、トリプシンを添加してタンパク質をペプチド断片化し、それをＡＡＬレクチンカラムによりフコース含有糖ペプチドを濃縮した。調整したフコース含有糖ペプチド断片を、上述の条件で、液体クロマトグラフィー（Agilent HP1200、Agilent technologies社製）・質量分析装置（Q-TOF 6520、Agilent technologies社製）（以下、「ＬＣ−ＭＳ」と称することがある。）を用いて分析し、各血清に含まれるすべての糖ペプチド断片の構造を解析した。まず、全ピークについてグループ１とグループ２に対するＴ検定を行い、Ｐ値が１０−３以下のピークを抽出した。次ぎにこれらのピークを対象にグループ２のピーク強度の平均値に対し、グループ１のピーク強度の平均値が３倍以上のピークを抽出した。次にこれらのピークを対象にＲＯＣ解析を実施し、ＡＵＣが８０％以上のピーク１個を抽出した。
【００７０】
このピークを液体クロマトグラフィーで単離後、ＭＳＭＳ解析し、マスコットデータベース検索（Ｍａｓｃｏｔ  Ｄａｔａｂａｓｅ：http://www.matrixscience.com/）をしたところ、ロイシンリッチα２グリコプロテイン１由来のペプチド（配列番号１のアミノ酸配列の４８番目から９２番目まで）であることがわかった。このことは市販の精製標品ロイシンリッチα２グリコプロテイン１（糖鎖を有する。）のＭＳＭＳ解析との照合によっても確認された（図１）。また本糖ペプチドと、糖鎖を脱離させたペプチドの質量数差、および糖鎖解析から、本ペプチドにはＡ３Ｇ３Ｓ３Ｆ１が結合していることが推測された。なお、本糖ペプチドのペプチド部（糖鎖が結合していない状態）の質量数は４８４１．４であるが、システイン残基がアセトアミド化されたペプチドの質量数は４８９８．４となる。糖鎖部の質量数はそれぞれ、Ａｓｎ７９に結合するＡ３Ｇ３Ｓ３Ｆの質量数が３０２５．１であり、これらが脱水縮合して生成する本糖ペプチドの質量数は７９０５．５である。この糖ペプチドを質量分析装置ネガティブモードの４価イオン（ｍ／ｚ＝１９７５．４，１９７５．６，１９７５．９，１９７６．１，１９７６．４など）や、３価イオン（ｍ／ｚ＝２６３４．２，２６３４．５，２６３４．８，２６３５．２，  ２６３５．５など）において検出し、その強度比を比較した。
【００７１】
本糖ペプチドを以後ペプチドＡと称する。各グループにおけるペプチドＡの発現量（上記ＬＣ−ＭＳ解析で測定されたピーク強度：各ｍ／ｚにおけるクロマトグラムを抽出（エクストラクテッド・イオンクロマトグラム）後、ピーク形状をスムージングし、ピーク始点から終点までの積分強度をピーク強度とした。）と既存大腸癌マーカーＣＥＡおよびＣＡ１９−９の発現量（CLIA (Chemiluminescent Immuno Assay)法にて測定）とを比較した。また、グループ１とグループ２とのＲＯＣ解析をペプチドＡの発現量とＣＥＡおよびＣＡ１９−９の発現量それぞれについて行い、個々のＡＵＣ値を比較した。その結果、ペプチドＡ（ＡＵＣ＝０．８４）は、ＣＥＡ（ＡＵＣ＝０．７９）およびＣＡ１９−９（ＡＵＣ＝０．７１）を上回った（図２）。
【図１】
2015184168.tif 000014
【図２】
2015184168.tif 000015
【配列表】
2015184168000001.app